(57)【要約】【課題】背もたれ板のリクライニング動作を行なっても、通気状態および通気を遮断する状態を安定して維持することのできる育児器具の座席を提供する。【解決手段】育児器具の座席は、座板３１と、リクライニング調節可能な背もたれ板３２と、重ね板４０とを備える。重ね板４０は、座板３１に対面する座面部４１と、背もたれ板３２に対面する背面部４２とを一体に有する。座板３１および背もたれ板４２は、それぞれ、厚み方向に貫通する第１の開口を有する。重ね板４０は、その座面部４１および背面部４２に、厚み方向に貫通する第２の開口４４を有する。重ね板４０は、第１の開口と第２の開口４４とを整列させる第１の位置と、両開口がずれた位置関係となる第２の位置との間を変位可能に設けられている。重ね板４０の座面部４１と背面部４２とを結ぶコーナー領域には、幅方向に延びるヒンジ部４５が上下方向に間隔をあけて複数個設けられている。【選択図】        図５
2004229910.tif 000002
【特許請求の範囲】
【請求項１】
座板とリクライニング調節可能な背もたれ板とを備えた育児器具の座席において、
前記座板に対面する座面部と、前記背もたれ板に対面する背面部とを一体に有する重ね板を備え、
前記座板および前記背もたれ板は、それぞれ、厚み方向に貫通する第１の開口を有し、
前記重ね板は、その座面部および背面部に、厚み方向に貫通する第２の開口を有し、かつ前記第１および第２の開口が整列する第１の位置と、前記第１および第２の開口がずれた位置関係となる第２の位置との間を変位可能に設けられており、
前記重ね板の座面部と背面部とを結ぶコーナー領域には、幅方向に延びるヒンジ部が上下方向に間隔をあけて複数個設けられていることを特徴とする、育児器具の座席。
【請求項２】
前記複数個のヒンジ部は、それぞれ、重ね板の厚みを減じた薄肉部によって形成される、請求項１に記載の育児器具の座席。
【請求項３】
前記薄肉部は、前記重ね板の裏面に切り込みを入れることによって形成される、請求項２に記載の育児器具の座席。
【請求項４】
前記重ね板は、前記座板および前記背もたれ板に沿ってスライド可能に設けられている、請求項１〜３のいずれかに記載の育児器具の座席。
【発明の詳細な説明】
【０００１】
【発明の属する技術分野】
この発明は、乳母車、チャイルドシート、ベビーラック等の育児器具の座席に関し、特に座板とリクライニング調節可能な背もたれ板とを備えた育児器具の座席に関するものである。
【０００２】
【従来の技術】
育児器具の開発にあたっては、例えば座席に座る子供に対して快適な環境を与えることができるようにするのが望ましい。
【０００３】
子供に対して快適な環境を与える要素の一つとして、通気性がある。夏や、暑くて湿気の多い日には、座席に座る子供に涼感を与えるために、通気性の良好な座席が好ましい。一方、冬や、寒くて風のきつい日には、隙間風の侵入を防いで保温性を維持できるような座席が望ましい。
【０００４】
【発明が解決しようとする課題】
本願と同一の出願人は、上記の要望を満たすための育児器具に関する発明を特願２００２−１６４４３６号に開示した。この出願の出願日は、平成１４年（２００２年）６月５日であり、現時点では未だ出願公開されていない。
【０００５】
上記の先願に開示された発明の要点を、図１および図２を参照して説明する。育児器具の座席を形成する壁、例えば背もたれ壁は、互いに重ね合わせて配置される第１の板部材１と第２の板部材２とを備える。第１の板部材１は、厚み方向に貫通する多数の第１の開口３を有し、第２の板部材２は、厚み方向に貫通する多数の第２の開口４を有する。
【０００６】
第２の板部材２は、第１の開口３および第２の開口４が整列する第１の位置（図２に示す状態）と、第１の開口３および第２の開口４がずれた位置関係となる第２の位置（図１に示す状態）との間を相対的に位置変更可能に設けられている。
【０００７】
上記の構成を備えた育児器具によれば、第２の板部材２を第１の位置（図２の状態）に保持すれば、整列した第１および第２の開口３，４を通して座席内に風が通るようになるので、良好な通気性が得られる。一方、第２の板部材２を第２の位置（図１の状態）に保持すれば、第１および第２の開口３，４が遮断されるので、開口を通した風の侵入が無くなり、良好な保温性が得られる。
【０００８】
しかしながら、上記構成の育児器具においても、改良すべき余地が有る。このことを図３および図４を参照して説明する。
【０００９】
図３に示す育児器具の座席は、貫通孔７を有する座板５と、貫通孔８を有する背もたれ板６とを備える。背もたれ板６は、リクライニング調節可能である。
【００１０】
通気性を実現するための構成を簡単にするために、重ね板１０は、座板５に対面する座面部１１と、背もたれ板６に対面する背面部１２とを一体に有する１枚の平板である。重ね板１０の座面部１１は、座板５の貫通孔７に整列し得る貫通孔１３を有し、背面部１２は、背もたれ板６の貫通孔８に整列し得る貫通孔１４を有する。重ね板１０の背面部１２は、背もたれ板６のリクライニング動作に追従するために、座面部１１の後端部に屈曲可能に連結されている。
【００１１】
一つの問題は、座面部１１と背面部１２とを一体に設けた重ね板１０の場合、両者の境界となる屈曲点の存在のために、重ね板１０がスムーズに上下動しないことである。屈曲点を例えば蛇腹構造にして鋭い角部の形成を避けるようにすると、コーナー部が柔軟になりすぎて背面部１２の動きを座面部１１に伝えることができなくなる。上記の問題を避けるために、屈曲点を緩やかな円弧を描く形状を有する硬い部分で形成することが考えられるが、そのようにしたとしても、以下に述べる問題点が生じ得る。
【００１２】
図３に示す状態では、背もたれ板６の貫通孔８と重ね板１０の背面部１２の貫通孔１４とが整列し、座板５の貫通孔７と重ね板１０の座面部１１の貫通孔１３とが整列している。この貫通孔の整列状態を維持したままで、背もたれ板６の後傾角度を変更したとする。図４において、背もたれ板６を相対的に起立させた状態を実線で示し、後方に倒した状態を破線で示している。
【００１３】
図４は各部材を図解的に示すものであるが、その動きを理解しやすくするために、屈曲点および端部を目立つようにしている。具体的には、座板５は前方点１６を有し、背もたれ板６は後方点１７を有する。背もたれ板６は、連結点１５を屈曲中心として傾斜動作を行なう。重ね板１０の座面部１１は前方点１９を有し、背面部１２は後方点２０を有する。背面部１２は連結点１８を屈曲中心として傾斜動作を行なう。図４中の実線で示す状態では、便宜上、背もたれ板６の後方点１７と背面部１２の後方点２０の高さをほぼ同じに示し、座板５の前方点１６と座面部１１の前方点１９とがほぼ同じ前方位置にあるように示している。
【００１４】
背もたれ板６を後方に傾斜させると、背もたれ板６の後方点１７および背面部１２の後方点２０は、共に、連結点１５を曲率中心としかつ背もたれ板６の長さを半径とする円弧２１に沿って移動する。図４において破線で示す状態では、背面部１２と座面部１１との連結点１８は、座面部２０の後方点２０を曲率中心としかつ座面部１２の長さを半径とする円弧２２上に位置する。したがって、図４に示すように、連結点１８は、背もたれ板６の傾斜動作の前後で長さＬだけずれることになる。
【００１５】
同様に、座面部１１の前方点１９も、位置ずれした連結点１８を屈曲中心とする円弧２３上に位置するので、背もたれ板６の傾斜動作の前後で位置ずれを生じる。
【００１６】
上記のような位置ずれのために、次の問題点が生じ得る。すなわち、図３に示す貫通孔の整列状態において背もたれ板６を後方に傾斜させると、背もたれ板６の貫通孔８と背面部１２の貫通孔１４とは傾斜後も整列状態を維持するが、座板５の貫通孔７と座面部１１の貫通孔１３とは傾斜後に位置ずれを起こし、通気性が阻害されてしまう。その逆に、座板５の貫通孔７と座面部１１の貫通孔１３とが遮断した位置関係の状態で背もたれ板６のリクライニング動作を行なうと、意に反して両貫通孔７，１３の位置が一致する場合も生じ得る。
【００１７】
この発明は、上記の問題点を克服するためになされたものであり、その目的は、座面部と背面部とを一体に設けた重ね板の動きをスムーズにすると共に、背もたれ板のリクライニング動作を行なっても、通気状態および通気を遮断する状態を安定して維持することのできる育児器具の座席を提供することである。
【００１８】
【課題を解決するための手段】
この発明に従った育児器具の座席は、基本的な構成として、座板とリクライニング調節可能な背もたれ板とを備える。このような座席において、さらに、座板に対面する座面部と、背もたれ板に対面する背面部とを一体に有する重ね板を備える。座板および背もたれ板は、それぞれ、厚み方向に貫通する第１の開口を有する。重ね板は、その座面部および背面部に、厚み方向に貫通する第２の開口を有し、かつ第１および第２の開口が整列する第１の位置と、第１および第２の開口がずれた位置関係となる第２の位置との間を変位可能に設けられている。重ね板の座面部と背面部とを結ぶコーナー領域には、幅方向に延びるヒンジ部が上下方向に間隔をあけて複数個設けられている。
【００１９】
上記の構成の座席によれば、複数のヒンジ部の存在によりコーナー領域の形状がなだらかな円弧を描くとともに、背面部の動きが座面部に効率よく伝わるようになるので、座面部と背面部とを一体に設けた重ね板をスムーズに動かすことができるようになる。また、背もたれ板のリクライニング動作に伴って重ね板の背面部の下方端に位置ずれが生じるが、この位置ずれはコーナー領域に設けられた複数のヒンジ部によって吸収されるので、座板と重ね板の座面部との間の位置関係は安定に維持される。したがって、座部および背もたれ部における通気状態および通気を遮断する状態を安定して維持することができる。
【００２０】
好ましくは、複数個のヒンジ部は、それぞれ、重ね板の厚みを減じた薄肉部によって形成される。この場合、例えば、薄肉部は、重ね板の裏面に切り込みを入れることによって形成される。このようにすれば、非常に簡単な構造となる。
【００２１】
重ね板は、例えば、座板および背もたれ板に沿ってスライド可能に設けられている。スライドの方向としては、例えば上下方向または左右方向である。
【００２２】
【発明の実施の形態】
図５は、この発明の一実施形態を示している。図示する座席形成部材３０は、乳母車の車体に取付けられて座席を形成する芯材であり、座板３１と、背もたれ板３２と、背もたれ板３２の両側縁から側方に延びている１対の側板３３と、背もたれ板３２の上端縁から上方に延びているヘッドガード板３４とを一体的に備える。
【００２３】
座席形成部材３０が取付けられる乳母車は、背もたれ部がリクライニング調節可能なものである。座席形成部材３０は、乳母車の車体に取付けられる布製の座席ハンモックの芯材として利用されても良いし、座席ハンモックを介さずに車体に直接取付けられるものであってもよい。
【００２４】
図５は、座席形成部材３０の背面側を水平に展開した状態を示している。座席形成部材３０が乳母車に取り付けられて椅子状の形態で使用されているときには、背もたれ板３２は座板３１の後端縁から上方に立ち上がっている。また、乳母車がベッド状の形態で使用されているときには、１対の側板３３は背もたれ板３２の両側縁から上方に立ち上がり、ヘッドガード板３４は背もたれ板３２の上端縁から上方に立ち上がっている。
【００２５】
図５に示すように、座席形成部材３０の背面には、重ね板４０が取付けられている。この重ね板４０は、座板３１に対面する座面部４１と、背もたれ板３２に対面する背面部４２と、１対の側板３３に対面する側面部４３とを一体に有する。
【００２６】
重ね板４０の各部、すなわち、座面部４１、背面部４２、側面部４３には、それぞれ、座席の通気性を確保するための貫通孔４４が形成されている。図５では、重ね板４０によって隠れて見えないが、座席形成部材３０の座板３１、背もたれ板３２および側板３３にも、重ね板４０の貫通孔４４と整列し得る貫通孔が形成されている。
【００２７】
重ね板４０は、重ね板の貫通孔４４と座席形成部材３０の貫通孔とが整列する第１の位置と、それらの貫通孔がずれた位置関係となる第２の位置との間を変位可能に設けられている。図示した実施形態では、重ね板４０は、所定距離だけ上下方向にスライド可能である。
【００２８】
重ね板４０をスライド可能にするための具体的な構成は、次のとおりである。
【００２９】
重ね板４０の背面部４２は、そのほぼ中央に中央開口４９を有している。座席形成部材３０の背もたれ板３２のほぼ中央には、上記の中央開口４９を通過する止めねじ３６を用いてプレート３５が取付けられている。重ね板４０の背面部４２は、プレート３５と背もたれ板３２との間に挟まれる部分を有しており、この部分に止めねじ４７を介してつまみ４６が取付けられている。つまみ４６は、プレート３５上に位置し、プレート３５には止めねじ４７を挿通させる長孔３７が形成されている。
【００３０】
また、重ね板４０の背面部４２の所々に上下方向に長い長孔４８が設けられている。これに対応して、背もたれ板３２には、長孔４８を挿通する軸を有するボタン３８が固定されている。重ね板の背面部４２は、ボタン３８と背もたれ板３２とに挟まれるので、常に背もたれ板３２との密接状態が維持される。重ね板４０の背面部４２は、止めねじ４７が長孔３７内を移動できる範囲だけ、また、ボタン３８の軸が長孔４８内を移動できる範囲だけ、上下方向にスライド可能である。なお、図示していないが、重ね板４０の座面部４１および側面部４３、ならびに座板３１および側板３３にも、長孔４８およびボタン３８を設ける。
【００３１】
重ね板４０を上下方向にスライドさせようとするときには、つまみ４６を手でつまんで上下方向に動かす。つまみ４６と重ね板４０とは連結されているので、つまみ４６の動きに追従して重ね板４０も上下方向に動く。
【００３２】
なお、つまみ４６の位置をロックすれば、重ね板４０を所定の位置で固定できる。つまみ４６に対するロック機構としては、種々の構造のものを採用できるので、ここでは詳しい説明を省略する。
【００３３】
上記のように、乳母車の座席に対して通気性を望むとき、あるいは、通気の遮断を望むとき、つまみ４６を操作して重ね板４０を動かす。
【００３４】
図５および図６に示すように、重ね板４０の座面部４１と背面部４２とを結ぶコーナー領域には、幅方向に延びるヒンジ部４５が上下方向に間隔をあけて複数個設けられている。重ね板４０の材質は例えば合成樹脂であり、各ヒンジ部４５は、重ね板４０の厚みを減じた薄肉部によって形成される。
【００３５】
重ね板４０の背面部４２は前方に向かって立ち上がるものであるので、図６に示すように、上記の薄肉部は、重ね板４０の裏面に切り込みを入れることによって形成されている。
【００３６】
図７および図８は重ね板４０のコーナー領域を示している。図７は、背面部４２の後傾角度が小さい状態を示し、図８は、背面部４２の後傾角度が大きい状態を示している。前述したように、背もたれ板３２のリクライニング動作を行なうと、重ね板４０の背面部４２の下方端には位置ずれが生ずる。この位置ずれは、コーナー領域に設けられている複数のヒンジ部４５に吸収される。具体的には、図７に示す状態から図８に示す状態に移行すると、各ヒンジ部４５の切り込みの幅が小さくなることによって位置ずれを吸収する。このような位置ずれ吸収効果を発揮するには、ヒンジ部４５を複数個設ける必要がある。図示した実施形態では、４個のヒンジ部が設けられている。
【００３７】
複数のヒンジ部４５の存在により、重ね板４０のコーナー領域はなだらかな円弧を描く形状となる。背面部４２の上下の動きは、複数個のヒンジ部４５を介して、確実に座面部４１に伝わる。また、複数個のヒンジ部４５による位置ずれ吸収効果により、背もたれ板３２のリクライニング動作を行なっても、重ね板４０の座面部４１と座板３１との位置関係を安定に維持することができる。したがって、座部および背もたれ部における通気状態および通気を遮断する状態を安定して維持することができる。
【００３８】
なお、図示していないが、重ね板４０の背面部４２と１対の側面部４３とを結ぶコーナー領域にも、上述のヒンジ部４５と同様なヒンジ部を複数個設けても良い。
【００３９】
図面を参照してこの発明の一実施形態を説明したが、上述し、かつ図示した形態はこの発明を例示的に示したものに過ぎない。したがって、この発明と同一の範囲内において、あるいは均等の範囲内において、種々の修正や変更を加えることが可能である。以下には、そのいくつかを例示的に列挙して説明する。
【００４０】
（１）図示した実施形態では、座席形成部材３０が、座板３１および背もたれ板３２のほかに、１対の側板３３およびヘッドガード板３４を備えていたが、側板３３およびヘッドガード板３４を有しない座席形成部材であっても良い。
【００４１】
（２）また、図示した実施形態では、重ね板４０は、座面部４１および背面部４２のほかに、１対の側面部４３を備えていたが、側面部４３を有しない重ね板であっても良い。
【００４２】
（３）重ね板４０のスライド方向は、上下に限らず、左右方向（幅方向）であっても良い。あるいは、スライド以外の変位機構を採用しても良い。
【００４３】
（４）図示した実施形態では、通気性を確保するための開口が貫通孔の形態であったが、それ以外の形態もあり得る。例えば、板部材の両側部から中央に向かって延びるような切欠きであってもよい。
【００４４】
（５）本発明を適用できる育児器具としては、乳母車に限られず、チャイルドシートやベビーラック等も挙げることができる。
【図面の簡単な説明】
【図１】特願２００２−１６４４３６号に開示された発明の要点を示す図である。
【図２】図１に示す状態から、一方の板部材を上下方向に移動させた状態を示す図である。
【図３】座席形成部材に重ね板を沿わせた状態を示す断面図である。
【図４】背もたれ板のリクライニング動作を行なったときに、重ね板の座面部が位置ずれを起こすことを説明するための図解図である。
【図５】この発明の一実施形態を示す背面図である。
【図６】重ね板のコーナー領域の拡大断面図である。
【図７】重ね板の背面部を起立させた状態を示す断面図である。
【図８】図７に示す状態から、背面部を後方に倒した状態を示す断面図である。
【符号の説明】
３０  座席形成部材、３１  座板、３２  背もたれ板、３３  側板、３４  ヘッドガード板、３５  プレート、３６  止めねじ、３７  長孔、３８  ボタン、４０  重ね板、４１  座面部、４２  背面部、４３  側面部、４４  貫通孔、４５  ヒンジ部、４６  つまみ、４７  止めねじ、４８  長孔、４９  中央開口。
【図１】
2004229910.tif 000003
【図２】
2004229910.tif 000004
【図３】
2004229910.tif 000005
【図４】
2004229910.tif 000006
【図５】
2004229910.tif 000007
【図６】
2004229910.tif 000008
【図７】
2004229910.tif 000009
【図８】
2004229910.tif 000010